(57)【特許請求の範囲】
【請求項１】
構造物の片面に当接する本体ベースと，本体ベースに保持された支持部材と，構造物の反対面に当接するあて板と，本体ベースとあて板を締め付ける挟持具とを備えてなる取付金具において，
前記あて板は，
内面に前記構造物の長手方向の軸線に直交する方向の投影面より広い幅を有する当付面を，当該当付面が前記構造物と反対方向に湾曲するように形成すると共に，当該当付面に対して前後に撓むように構成してなる可撓湾曲体と，
当該可撓湾曲体の前記幅方向両端側に設けられ，前記挟持具を装着する装着部を備えた平面であって，内面が，前記挟持具を受け入れ固着する固着部を備えた前記本体ベースの受止体と対向するように配置される当付体と，
を備え，
前記当付体は，
前記当付体の上端及び下端から，前記可撓湾曲体の上端及び下端の一部であって当該当付体の近傍における上端及び下端に亘って，前記構造物と反対方向に突出するように連設された折返し片を，前記当付面と一体的に備えたことを特徴とする取付金具。
【請求項２】
前記挟持具は，少なくとも雄ネジ部を備えたボルト体と，当該ボルト体に備えられた雄ネジ部に螺合する雌ネジ部を備えたナット体と，を備え，
前記当付体に備えられた前記装着部は，前記ボルト体を挿抜自在に挿入できる大きさに形成された貫通であって，前記構造物の長手方向の軸線に直交する方向に長手方向を有する長孔となるように形成されていることを特徴とする請求項１に記載の取付金具。
【発明の詳細な説明】
【技術分野】
【０００１】
本発明は，主に構造物に対して機器を取り付けるための金具であって，詳しくは自立型の住宅用鋼管柱に対してテレビ受信用機器を取り付けるための取付金具に関する。
【背景技術】
【０００２】
従来，構造物に対してテレビアンテナに代表されるようなテレビ受信用機器を取り付ける場合，例えば構造物に対して着脱自在に取り付けるための取付部材と，当該取付部に一体的に設けられたテレビアンテナを取り付けるためのアンテナ支持腕からなる取付金具を用いるのが一般的であった。具体的には，構造物の片面に当接する本体ベースと，当該本体ベースに保持されたアンテナ支柱（アンテナ支持腕）と，構造物の反対面に当接するあて板と，本体ベースとあて板を締め付けるボルト及びナットからなる締付具とを備えたアンテナ取付け装置が提案されている。尚，この実施例では，前記取付部材は，前記本体ベースと，構造物の反対面に当接するあて板と，本体ベースとあて板を締め付ける前記締付具とで構成されている。このように構成されたアンテナ取付け装置にあっては，本体ベースとあて板とで構造物である縦骨（以下，支柱と記載する）を挟み込んで，前記締付具を使って挟着保持することで取付けが完了する。
【０００３】
ところで，従来技術のアンテナ取付け装置を構成するあて板は，前記挟持具によって強固に締め付けられた時に変形を防止するため，その形状が断面コ字状（従来技術の図１参照）になるよう，支柱側に向かって折返し成型して，上下に一対の折返し片を備えさせることによって強度アップを図るのが一般的であった。そして，その折り返し形成された折返し片の略中央部には，前記支柱に当て付けるための湾曲部が形成されており，当該湾曲部を支柱に当て付け，前記挟持具で締め付ければ，あて板が変形することなく強固に締め付けることができる。そして，あて板をこのように構成したことによって，前記あて板には，前記折返し片の先端と前記湾曲の開口端の接続部分に凸部が形成されることから，従来技術のアンテナ取付け装置を支柱に対して強固に挟着した状態では，前記あて板は，前記凸部が支柱に食い込むように点接触しており，前記本体ベースは，傾斜部の背面が前記支柱と線接触するように当て付けられている。
（例えば，特許文献１参照）。
【先行技術文献】
【特許文献】
【０００４】
【特許文献１】特開２０００−１７４３０８号公報
【発明の概要】
【発明が解決しようとする課題】
【０００５】
ところが，あて板を上述したような折返し成型したことによって，小型であっても強度に優れたあて板とすることができ，しかも，前記凸部が支柱に食い込むように点接触する構成であることによって，アンテナ取付け装置の取付け強度を増すことができるものの，一方では，前記凸部が支柱に食い込む構成としたことによって，支柱を傷つけてしまい，例えば支柱が錆びてしまったり，延いては美観を損なってしまったりすると言った問題があった。そのため，せっかく自立型の住宅用鋼管柱を設置したにもかかわらず，その美観を著しく損なうと言った問題があった。
そこで本願においては，こうした問題点を解決するためになされたものであり，
その目的は，簡単且つ安価に，構造物に対して強固に取付けることができる取付金具を提供することに有る。
他の目的は，建造物を傷つけることなく，構造物に対して強固に取付けることができる取付金具を提供することに有る。
【課題を解決するための手段】
【０００６】
上記課題を解決するためになされた請求項１に記載の発明は，
構造物の片面に当接する本体ベースと，本体ベースに保持された支持部材と，構造物の反対面に当接するあて板と，本体ベースとあて板を締め付ける挟持具とを備えてなる取付金具において，
前記あて板は，
内面に前記構造物の長手方向の軸線に直交する方向の投影面より広い幅を有する当付面を，当該当付面が前記構造物と反対方向に湾曲するように形成すると共に，当該当付面に対して前後に撓むように構成してなる可撓湾曲体と，
当該可撓湾曲体の前記幅方向両端側に設けられ，前記挟持具を装着する装着部を備えた平面であって，内面が，前記挟持具を受け入れ固着する固着部を備えた前記本体ベースの受止体と対向するように配置される当付体と，
を備え，
前記当付体は，
前記当付体の上端及び下端から，前記可撓湾曲体の上端及び下端の一部であって当該当付体の近傍における上端及び下端に亘って，前記構造物と反対方向に突出するように連設された折返し片を，前記当付面と一体的に備えたことを特徴とする。
【０００８】
また，請求項２に記載の発明は，請求項１に記載の取付金具において，
前記挟持具は，少なくとも雄ネジ部を備えたボルト体と，当該ボルト体に備えられた雄ネジ部に螺合する雌ネジ部を備えたナット体と，を備え，
前記当付体に備えられた前記装着部は，前記ボルト体を挿抜自在に挿入できる大きさに形成された貫通であって，前記構造物の長手方向の軸線に直交する方向に長手方向を有する長孔となるように形成されていることを特徴とする。
【発明の効果】
【０００９】
本発明の取付金具においては，あて板が，可撓湾曲体と，その幅方向両端側に設けられた当付体とを備えることから，挟持具を緊締操作すれば，当付面の内面を，構造物の周面と広範囲に亘って接触させることができる。
従って，本発明の取付金具によれば，構造物に当接する面に，従来技術のような突状の止め具を備えさせなくても，簡単且つ安価な構成で構造物に対する保持力をより強くすることができる。
【００１０】
また，当付体は，当付体の上端及び下端から，可撓湾曲体の上端及び下端の一部であって当該当付体の近傍における上端及び下端に亘って，構造物と反対方向に突出するように連設された折返し片を，当付面と一体的に備える。
このため，本発明の取付金具によれば，あて板の剛性を強固なものにすることができると共に，当付体と可撓湾曲体との接続部における相対的な位置関係（例えば，当付体の平面と可撓湾曲体の湾曲面の接線とがなす角度）を一定に保つことができる。
また，折返し片は，構造物とは反対方向に折り返されているので，少なくとも当付面の内面には，構造物表面を傷つけてしまうような突起が無い。従って，本発明の取付金具によれば，取付金具を構造物に取り付けるに当たって，構造物の表面を傷つけるのを防止できる。
【００１１】
次に，請求項２に記載の取付金具においては，挟持具が，ボルト体とナット体とを備え，あて板の当付体に備えられた装着部は，ボルト体を挿抜自在に挿入できる大きさに形成され，構造物の長手方向の軸線に直交する方向に長手方向を有する長孔である貫通孔を備える。
このため，挟持具であるボルト体を固着部であるナット体に螺合し，締め付けることによって，可撓湾曲体が撓んだとしても，装着部である長孔がボルト体の緊締操作を邪魔することが無い。
【図面の簡単な説明】
【００１２】
【図１】本発明の取付金具を説明するために分解した斜視図である。
【図２】本発明の取付金具を構造物（支柱）に取付ける手順を説明するための概略図であり，（ａ）は取り付ける前の状態を上から見た図，（ｂ）は取付け完了後の状態を上から見た図である。
【図３】図２（ａ）の状態を示す一部断面図である。
【発明を実施するための形態】
【実施例１】
【００１３】
以下に本発明の取付金具の一実施形態について説明する。図１は本発明の取付金具を説明するための概略図であり，構成要素を分解して示した斜視図である。尚，図１において１で示されているのが本発明にかかる取付金具であり，構造物に対して機器を取付けるために使用されるものであるが，以下の説明を容易とするために，構造物に取付けが必要な機器として，例えば，地上デジタル放送や衛星放送を受信するためのアンテナを例示し，取り付け対象である構造物としては，例えば，自立型の住宅用鋼管柱（以下の説明では，支柱と記載する）を用いた例を示す。また，以下の説明で方向を示す場合は，特に明記しない限り，図１に示されている取付金具１の設置方向を基準とし，取付金具１の正面側が前側，若しくは前面と記載し，取付金具１の後面側が後側，若しくは背面と記載する。つまり，図１における取付金具１の配置において，斜め左下側（図の手前側）は前側，若しくは前面であり，斜め右上側が後側，若しくは背面である。
【００１４】
本発明の取付金具１について図１を用いて説明する。本発明の実施形態にかかる前記挟持具３０は，少なくとも雄ネジ部３３ａを備えたボルト体３３と，当該ボルト体３３に備えられた雄ネジ部３３ａに螺合する雌ネジ部を備えたナット体から構成されていることから，本発明の実施形態では，前記挟持具３０は，ボルト体３３と，後に詳述する本体ベース１０に形成された固着部１３としてのナット体１５からなるように構成されている。
【００１５】
本発明の取付金具１について図１から図３を用いて説明する。本発明の実施形態にかかる取付金具１は，少なくとも，取り付け対象物の構造物である支柱２の片面に当接する本体ベース１０と，本体ベース１０に保持された支持部材５と，支柱２の反対面に当接するあて板２０と，本体ベース１０とあて板２０を締め付けるボルト体３３とナット体１３からなる挟持具３０と,で構成されている。
【００１６】
前記本体ベース１０は，全体矩形状に形成された剛性の強い金属材料等の板体を成型して得られるものであり，当該板体の略中央部付近を，前記支柱２の長手方向に沿うように，支柱２とは反対方向の外側に向かって，断面略く字状となるように両側に傾斜面１１ａ，１１ａを備えてなる突起部１１が形成されている。そして，当該突起部１１の外面略中央部には，Ｌ字型に形成された支持部材５が，溶接等の周知の手段で保持されている。尚，この実施例では，断面略く字状となるように形成した例を示したが，特にこの実施例に限定されるものではない。
【００１７】
更に前記突起部１１の両側には，当該突起部１１から外方向に向かって，それぞれ平面１２が備えられている。
そして，この平面１２，１２には，それぞれ前記挟持具３０を構成するボルト体３３を固着するための固着部１３が形成されており，本発明の実施形態では，一方の平面１２には，図の縦方向に並ぶ１対の固着部１３，１３と，他方の平面１２に配置された固着部１３，１３が備えられている。また，前記平面１２の上端から前記突起部１１を構成する傾斜面１１ａの上端，及び，前記平面１２の下端から前記突起部１１を構成する傾斜面１１ａの下端に亘って，前記支柱２とは反対方向の外側に向かって折り返し成型した折返し片１７が形成されており，前記平面１２と前記傾斜面１１ａの剛性を強固なものにしている。
尚，本発明の実施形態における固着部１３は，内部に雌ネジ部１３ａが形成されたナット体１５を，前記平面１２の前面側に固着したものであるが，平面１２に雌ネジ部１３ａを形成しても良い。そして，本発明の実施形態では，前記平面１２と前記固着部１３（ナット体１３）とで請求項に記載の受止体１８を構成している。
【００１８】
次に，本発明の実施形態にかかるあて板２０について詳しく説明する。図１に良く示されているように，あて板２０は，内面（支柱２に向かう側の面）に前記支柱２の長手方向の軸線に直交する方向の投影面より広い幅を有する当付面２１を，当該当付面２１が前記支柱２の周面に対応するより広い周径を有するように湾曲させた湾曲部２４を備えるように形成すると共に，当該当付面２１に対して前後に撓むように構成してなる可撓湾曲体２５と，当該可撓湾曲体２５の両端側に設けられ，前記挟持具３０を構成しているボルト体３３を装着する装着部２３を備えた平面２２であって，前記受止体１８と対向するように配置した当付体２８と，を備えた構成となっている。
【００１９】
更に，本発明の実施形態では，前記当付体２８を構成する平面２２には，当該平面２２と前記受止体１８とを対向配置したときに，前記本体ベース１０に形成された固着部１５としてのナット体１３の軸線と一致する位置に，前記平面２２を貫通する貫通孔２３が形成されている。そして，本発明の実施形態にかかる貫通孔２３は，前記支柱２の長手方向の軸線に直交する方向に長手方向を有する長孔となるように形成されている。尚，この貫通孔２２が請求項に記載の前記挟持具３０を装着する装着部であり，前記平面２２と前記装着部（貫通孔２３）とで請求項に記載の当付体２８を構成している。
【００２０】
更に，本発明の実施形態における前記当付体２８は，その平面２２が水平方向の軸線に平行となるように配置しても良いが，望ましくは図２に良く示されているように，平面２２が水平方向の軸線に平行となるように配置した位置から，図のαで示されている角度だけ前記本体ベース１０とは反対の方向を向くように形成しておくと良い。
【００２１】
更に加えて，前記あて板２０には，前記平面２２の上端２２ａから前記湾曲部２４の前記平面よりの上端部２４ａ，及び，前記平面２２の下端から前記湾曲部２４の前記平面２２よりの下端部２４ａに亘って，前記支柱２とは反対方向の外側に向かって折り返し成型した折返し片２７が形成されている。この折返し片２７は，前記平面１２の剛性を強固なものにすると共に，前記平面２２と前記湾曲部２４の接続部における相対的な位置関係，具体的には平面２２の上端２２ａの軸線と，前記湾曲部２４の接線がなす角度を一定に保つために備えられている。
【００２２】
本発明の実施形態にかかる前記挟持具３０は，少なくとも雄ネジ部３３ａを備えたボルト体３３と，当該ボルト体３０に備えられた雄ネジ部３３ａに螺合する雌ネジ部を備えたナット体から構成されていることから，本発明の実施形態では，前記挟持具３０は，ボルト体３３と本体ベース１０の平面１２に形成された固着部１３としてのナット体１５からなるように構成されている。
【００２３】
さて，ここからは図２と図３を用いて，本発明にかかる取付金具１の組付け手順について説明する。これらの図において，図２は本発明の取付金具１を支柱２に取付ける手順を説明するための概略図であり，（ａ）は取り付ける前の状態を上から見た図，（ｂ）は取付け完了後の状態を上から見た図である。また，図３は図２（ｂ）の組付け状態を示すための断面図である。
【００２４】
先ず，本体ベース１０の傾斜面１１ａ,１１ａの内面を，支柱２の図の下面側（即ち，前面側）に当接するように当て付ける。そして，その状態で支柱５の上面側（背面側）にあて板２０を当て付けるのであるが，このとき，前記本体ベース１０に備えられた前記ナット体１３と，あて板２０に形成された貫通孔２３をそれぞれ一致させるように行なう。そして，それぞれの位置か決まったなら，あて板２０の背面側から，前記ボルト体３３を貫通孔２３に挿通し，更には，当該ボルト体３３の雄ネジ部３３ａを，前記本体ベース１０に備えられた前記ナット体１３の雌ネジ部１３ａに螺合する。そして，この状態では，当付面２１の内面は，図２（ａ）の矢印で示されているように，当付面２１が前記支柱２の周面と接触する面は僅かであり，本体ベース１０の傾斜面１１ａ，１１ａの内面が前記支柱２の周面と接触する面は，線状に接触している。
【００２５】
次に，前記ボルト体３３を前記ナット体１３に緊締すると，あて板２０は本体ベース１０に確りと組み付けられる。この状態では，前記あて板２０に備えさせた前記可撓湾曲体２５の存在によって，当付面２１が支柱２方向に撓みつつ，当付面２１の内面と，前記支柱２の周面との接触面を拡げる（図の矢印Ｒ）ようにして組み付けられるのである。一方，平面２２と可撓湾曲体２５の接続部における相対的な位置関係は変わることがないので，前記ボルト体３３を前記ナット体１３に緊締しても，その状態からあて板２０が緩むことが無い。
【００２６】
即ち，本発明の実施形態の取付金具１によれば，本体ベース１０に備えさせた前記折返し片１７と，前記あて板２０に備えさせた前記折返し片２７は，何れも，支柱２とは反対方向に向かって折り返し成型されているので，前記傾斜面１１ａ，１１ａの内面及び前記当付面２１の内面には，前記支柱２表面を傷つけてしまうような突起が全く無いため，本発明の取付金具１の取り付けに当たって，支柱２の表面を傷つけることが無い。
また，本発明の実施形態では，ボルト体３３を緊締操作することによって，当付面２１の内面が，前記支柱２の周面と更に広範囲に亘って接触させることができることから，前記支柱２に当接する面に，従来技術のような突状の止め具を備えさせなくても，本発明の取付金具１は，簡単且つ安価な構成で前記支柱２に対する保持力をより強くすることが出来るのである。
【００２７】
更に，本発明の実施形態では，前記あて板２０に備えさせた前記ボルト体３３を挿通するための貫通孔２３の形状を，前記構造物の長手方向の軸線に直交する方向に長手方向を有する長孔となるように形成したことによって，前記ボルト体３３を前記ナット体１３に緊締して，前記可撓湾曲体２５が撓んだとしても，図３によく示されているように，貫通孔２３がボルト体３３の緊締操作を邪魔することが無い。
【符号の説明】
【００２８】
１…取付金具，２…支柱（構造物），５…支持部材，１０…本体ベース，１１…突起部，１１ａ…傾斜面，１２…平面，１３…ナット体，１３ａ…雌ネジ部，１５…固着部，１６…，１７…折返し片，１８…受止体，２０…あて板，２１…当付面，２２…平面，２２ａ…上端（下端），２３…貫通孔，２４…湾曲部，２４ａ…上端（下端），２５…可撓湾曲体，２７…折返し片，２８…当付体，３０…挟持具，３３…ボルト体，３３ａ…雄ネジ部。
【図１】
0005615037.tif 000002
【図２】
0005615037.tif 000003
【図３】
0005615037.tif 000004